(57)【要約】【課題】エントランスパネルの固定部分を目立たないようにした建物用ドアユニット及びパネルユニットを提供する。【解決手段】ドア本体１と、ドア本体１の一方の側方に配置される縦枠２０と、縦枠２０の長さ方向に沿って離間して固定される、ドア本体１と反対側に突出するように延長された複数の横桟３０と、横桟３０に固定されるエントランスパネル１０とを備え、複数の横桟３０は、互いに略平行な姿勢に縦枠２０に固定されており、各横桟３０は、長手方向の一端側に、縦枠２０に固定する縦枠固定部３４と、長手方向の他端側に、エントランスパネル１０の一端を連結するパネル連結部３６と、長手方向の中間に、背面に固定するための壁面固定部３５とを設けており、縦枠２０は、エントランスパネル１０の他端を固定するためのパネル固定部を備える。【選択図】図７
2019190131.tif 000002
【特許請求の範囲】
【請求項１】
建物用ドアユニットであって、
ドア本体と、
前記ドア本体の一方の側方に配置される縦枠と、
前記縦枠の長さ方向に沿って離間して固定される、前記ドア本体と反対側に突出するように延長された複数の横桟と、
前記横桟に固定されるエントランスパネルと
を備え、
前記複数の横桟は、互いに略平行な姿勢に前記縦枠に固定されており、各横桟は
長手方向の一端側に、前記縦枠に固定する縦枠固定部と、
長手方向の他端側に、前記エントランスパネルの一端を連結するパネル連結部と、
長手方向の中間に、背面に固定するための壁面固定部と
を設けており、
前記縦枠は、前記エントランスパネルの他端を固定するためのパネル固定部を備えてなる建物用ドアユニット。
【請求項２】
請求項１に記載の建物用ドアユニットであって、
前記複数の横桟は、前記縦枠の長さ方向の上端側と、下端側と、前記上端と下端の間の中間に、それぞれ固定されてなる建物用ドアユニット。
【請求項３】
請求項１又は２に記載の建物用ドアユニットであって、
前記縦枠が、該縦枠に前記エントランスパネルを固定するための縦枠側面側開口を前記縦枠の側面側に開口してなる建物用ドアユニット。
【請求項４】
請求項３に記載の建物用ドアユニットであって、
前記エントランスパネルが、前記縦枠の正面側と当接する位置にパネル側突起を設けており、
前記縦枠の正面側の、前記パネル側突起と当接する部位に、縦枠正面側開口を開口しており、
前記パネル側突起には、突起側ねじ穴を開口しており、
前記パネル側突起を前記縦枠正面側開口に挿入した状態で、前記縦枠側面側開口に前記突起側ねじ穴が表出するように構成してなる建物用ドアユニット。
【請求項５】
請求項１〜４のいずれか一項に記載の建物用ドアユニットであって、
前記パネル連結部が、前記エントランスパネルの一端を、前記横桟の長手方向の他端側において軸支するよう構成してなる建物用ドアユニット。
【請求項６】
請求項５に記載の建物用ドアユニットであって、
前記エントランスパネルが、その裏面側であって前記ドア本体と面する側の反対側において、パネル回転軸を鉛直下方に突出させており、
前記パネル連結部が、前記横桟の他端側において、水平姿勢に折曲された桟折曲片に開口された、前記パネル回転軸を挿入して回転自在に支承するための回転軸穴である建物用ドアユニット。
【請求項７】
請求項１〜６のいずれか一項に記載の建物用ドアユニットであって、
前記壁面固定部は、前記横桟の長手方向の中間であって、前記縦枠固定部よりも前記パネル連結部側に近接する位置に配置されてなる建物用ドアユニット。
【請求項８】
請求項１〜７のいずれか一項に記載の建物用ドアユニットであって、
前記壁面固定部及び前記縦枠固定部が、それぞれねじ穴を形成しており、
前記エントランスパネルで前記壁面固定部及び前記縦枠固定部を被覆してなる建物用ドアユニット。
【請求項９】
請求項１〜８のいずれか一項に記載の建物用ドアユニットであって、
前記エントランスパネルは、該エントランスパネルの側面であって、前記縦枠と面する側を折曲させたパネル折曲部を有しており、
前記パネル折曲部は、その端面を、前記縦枠の正面の中間と当接させて、水平断面視において前記縦枠の中間に段差を形成してなる建物用ドアユニット。
【請求項１０】
建物用ドアの側面に固定されるパネルユニットであって、
ドア本体の側方に配置される縦枠と、
前記縦枠の長さ方向に沿って離間して固定される、前記ドア本体と反対側に突出するように延長された複数の横桟と、
前記横桟に固定されるエントランスパネルと
を備え、
前記複数の横桟は、互いに略平行な姿勢に前記縦枠に固定されており、各横桟は
長手方向の一端側に、前記縦枠に固定する縦枠固定部と、
長手方向の他端側に、前記エントランスパネルの一端を連結するパネル連結部と、
長手方向の中間に、背面に固定するための壁面固定部と
を設けており、
前記縦枠は、前記エントランスパネルの他端を固定するためのパネル固定部を備えてなるパネルユニット。
【請求項１１】
建物の壁面に固定されるパネルユニットであって、
建物の壁面に固定される縦枠と、
前記縦枠の長さ方向に沿って互いに平行に離間して突出するよう固定された複数の横桟と、
前記横桟に固定されるパネルと
を備え、
前記複数の横桟は、互いに略平行な姿勢に前記縦枠に固定されており、各横桟は
長手方向の一端側に、前記縦枠に固定する縦枠固定部と、
長手方向の他端側に、前記パネルの一端を連結するパネル連結部と、
長手方向の中間に、背面に固定するための壁面固定部と
を設けており、
前記縦枠は、前記パネルの他端を固定するためのパネル固定部を備えてなるパネルユニット。
【発明の詳細な説明】
【技術分野】
【０００１】
本開示は、建物用ドアユニット及びパネルユニットに関する。
【背景技術】
【０００２】
一般に、マンション等の中、高層建築物の各戸における玄関にはドアが設けられ、そのドアの周りに、インターホン、室名札、照明灯、新聞受け等の各種の玄関備品を取付けるようにしている。
【０００３】
ここで、上記各種の玄関備品を個別に取付ける構成であると、取付けに非常に手間がかかるため、近年では、各種の玄関備品をエントランスパネルに取付けてユニット化し、そのエントランスユニットをドアの一側方に設けられた袖壁にねじ止めする取付けが広く採用されるようになってきている。
【０００４】
ところで、上記のようなエントランスユニットの取付けに際し、袖壁表面にエントランスユニットのエントランスパネルに設けられた複数のねじ挿入孔と対応する位置に中心線をけがき、その中心線にアンカを埋め込み、各アンカにねじ込まれるねじの締付けによってエントランスパネルの固定化を図るようにしているが、複数のねじ挿入孔と対応する位置に中心線をけがく際にはエントランスパネルを袖壁に押し付けて位置決めし、その位置決め状態を保持してけがきを行なう必要があるため、けがき作業に手間がかかり、エントランスパネルの取付けに時間を要するという不都合があった。
【０００５】
これに対し、本願出願人らは玄関備品を支持するエントランスパネルの取付けの作業性の向上を図ること、および体裁の良好な取付けが得られるようにした玄関備品の取付装置を開発した（特許文献１）。この玄関備品の取付装置は、図１２〜図１４に示すように、ドア枠９２の戸先側たて枠に突出部９３を一体に形成し、玄関備品を支持するエントランスパネル９４の一側には上記突出部９３の内側面に係合可能な係合片９５を設ける。係合片９５を突出部９３の内側面に係合してエントランスパネル９４を位置決めし、その位置決め状態で袖壁９６にエントランスパネル９４に設けられたねじ挿入孔９７の位置をけがく。そのけがき位置にアンカ９８を埋め込み、ねじ挿入孔９７からアンカ９８にねじ係合されるねじ９９の締付けによってエントランスパネル９４を固定する。これらの図において、図１２は従来の玄関備品の取付装置を示す正面図、図１３は図１２のＸＩＩＩ−ＸＩＩＩ線に沿った断面図、図１４は図１２の分解斜視図を、それぞれ示している。
【０００６】
この構成により、ドア枠の戸先側たて枠に突出部を設け、エントランスパネルの一側に係合片を設けることにより、その係合片を突出部に係合することによってエントランスパネルを位置決めすることができ、その位置決め状態で袖壁９６表面にエントランスパネルに形成された複数のねじ挿入孔の位置をけがくことができる。このため、けがき作業が容易であり、エントランスパネルの取付けの作業性を向上させることができる。
【０００７】
この玄関備品の取付装置では、図１３及び図１４に示すように、エントランスパネル９４の上下端部には幅方向に長く延びる一対の抜孔８１が形成されている。そして抜孔８１は、その抜孔８１に嵌合されるプレート８２によって閉塞される。抜孔８１に嵌合されたプレート８２は、永久磁石８３の吸着によって嵌合状態に保持される。
【０００８】
しかしながら、この構成ではエントランスパネル９４の設置時にエントランスパネル９４の位置決めのため、袖壁９６表面にエントランスパネル９４を固定するための複数のねじ挿入孔９７の位置をけがくけがき作業が必要であった。位置決めが不十分であると、設置後のエントランスパネル９４が傾くなど、見栄えが悪くなってしまうため、慎重に行う必要があり、手間がかかっていた。また、エントランスパネル９４にプレート８２を嵌め込む抜孔８１を形成する必要があり、抜孔８１にプレート８２と嵌め込んだ状態でもエントランスパネル９４との境界部分が目立ち、外観を損ねる問題があった。さらに、プレート８２は磁力で保持されているため、外れることも考えられ、この場合は一層見栄えが悪くなる。
【先行技術文献】
【特許文献】
【０００９】
【特許文献１】特開２００５−２８２１４７号公報
【発明の概要】
【発明が解決しようとする課題】
【００１０】
本発明は、このような背景に鑑みてなされたものであり、その目的の一は、エントランスパネルの固定部分を目立たないようにした建物用ドアユニット及パネルユニットを提供することにある。
【課題を解決するための手段及び発明の効果】
【００１１】
本発明の第１の形態に係る建物用ドアユニットによれば、建物用ドアユニットであって、ドア本体と、前記ドア本体の一方の側方に配置される縦枠と、前記縦枠の長さ方向に沿って離間して固定される、前記ドア本体と反対側に突出するように延長された複数の横桟と、前記横桟に固定されるエントランスパネルとを備え、前記複数の横桟は、互いに略平行な姿勢に前記縦枠に固定されており、各横桟は、長手方向の一端側に、前記縦枠に固定する縦枠固定部と、長手方向の他端側に、前記エントランスパネルの一端を連結するパネル連結部と、長手方向の中間に、背面に固定するための壁面固定部とを設けており、前記縦枠は、前記エントランスパネルの他端を固定するためのパネル固定部を備えることができる。上記構成により、縦枠を利用して複数の横桟を延伸させた上でエントランスパネルを固定できるので、エントランスパネルの位置決め作業を施工現場で容易に行える利点が得られる。
【００１２】
また、本発明の第２の形態に係る建物用ドアユニットによれば、上記構成に加えて、前記複数の横桟を、前記縦枠の長さ方向の上端側と、下端側と、前記上端と下端の間の中間に、それぞれ固定することができる。上記構成により、少なくとも３箇所でエントランスパネルを保持できるので、強度を高めて安定的に固定できる。
【００１３】
さらに、本発明の第３の形態に係る建物用ドアユニットによれば、上記何れかの構成に加えて、前記縦枠が、該縦枠に前記エントランスパネルを固定するための縦枠側面側開口を前記縦枠の側面側に開口させることができる。上記構成により、パネル固定部として、縦枠側面側開口を建物用ドアユニットの正面側でなく側面側に開口させることで、正面からの見栄えを良くして意匠性を高めることができる。
【００１４】
さらにまた、本発明の第４の形態に係る建物用ドアユニットによれば、上記何れかの構成に加えて、前記エントランスパネルが、前記縦枠の正面側と当接する位置にパネル側突起を設けており、前記縦枠の正面側の、前記パネル側突起と当接する部位に、縦枠正面側開口を開口しており、前記パネル側突起には、突起側ねじ穴を開口しており、前記パネル側突起を前記縦枠正面側開口に挿入した状態で、前記縦枠側面側開口に前記突起側ねじ穴が表出するように構成することができる。上記構成により、縦枠の側面側から、縦枠側面側開口から突起側ねじ穴を螺合することが可能となり、エントランスパネルを固定するための開口部を目立たない位置に設けて施工後の見栄えを改善できる。
【００１５】
さらにまた、本発明の第５の形態に係る建物用ドアユニットによれば、上記何れかの構成に加えて、前記パネル連結部が、前記エントランスパネルの一端を、前記横桟の長手方向の他端側において軸支するよう構成することができる。上記構成により、エントランスパネルの他端側はパネル固定部で固定しつつ、一端側の固定作業を簡素化できる。
【００１６】
さらにまた、本発明の第６の形態に係る建物用ドアユニットによれば、上記何れかの構成に加えて、前記エントランスパネルが、その裏面側であって前記ドア本体と面する側の反対側において、パネル回転軸を鉛直下方に突出させており、前記パネル連結部を、前記横桟の他端側において、水平姿勢に折曲された桟折曲片に開口された、前記パネル回転軸を挿入して回転自在に支承するための回転軸穴とすることができる。上記構成により、エントランスパネルを一端側で旋回自在に支承しつつ、他端側をパネル固定部で固定することができ、エントランスパネルの固定作業をスムーズに行える利点が得られる。
【００１７】
さらにまた、本発明の第７の形態に係る建物用ドアユニットによれば、上記何れかの構成に加えて、前記壁面固定部は、前記横桟の長手方向の中間であって、前記縦枠固定部よりも前記パネル連結部側に近接する位置に配置させることができる。上記構成により、壁面固定部を、負荷のかかるエントランスパネルを固定するパネル連結部側に偏在させることで、より安定的にエントランスパネルを保持可能な構造を実現する。
【００１８】
さらにまた、本発明の第８の形態に係る建物用ドアユニットによれば、上記何れかの構成に加えて、前記壁面固定部及び前記縦枠固定部が、それぞれねじ穴を形成しており、前記エントランスパネルで前記壁面固定部及び前記縦枠固定部を被覆することができる。上記構成により、横桟を介してエントランスパネルを固定すると共に、横桟を壁面や縦枠に固定するねじ穴をエントランスパネルで覆うことによって、これらを外部に表出させず、外観の見栄えを良くすることが可能となる。
【００１９】
さらにまた、本発明の第９の形態に係る建物用ドアユニットによれば、上記何れかの構成に加えて、前記エントランスパネルは、該エントランスパネルの側面であって、前記縦枠と面する側を折曲させたパネル折曲部を有しており、前記パネル折曲部は、その端面を、前記縦枠の正面の中間と当接させて、水平断面視において前記縦枠の中間に段差を形成することができる。上記構成により、縦枠からエントランスパネルにかけて階段状に形成することで、ドア本体のデッドボルトを正面から視認し難くして防犯上有利な形状とできる。
【００２０】
さらにまた、本発明の第１０の形態に係るパネルユニットによれば、建物用ドアの側面に固定されるパネルユニットであって、ドア本体の側方に配置される縦枠と、前記縦枠の長さ方向に沿って離間して固定される、前記ドア本体と反対側に突出するように延長された複数の横桟と、前記横桟に固定されるエントランスパネルとを備え、前記複数の横桟は、互いに略平行な姿勢に前記縦枠に固定されており、各横桟は、長手方向の一端側に、前記縦枠に固定する縦枠固定部と、長手方向の他端側に、前記エントランスパネルの一端を連結するパネル連結部と、長手方向の中間に、背面に固定するための壁面固定部とを設けており、前記縦枠は、前記エントランスパネルの他端を固定するためのパネル固定部を備えることができる。上記構成により、縦枠を利用して複数横桟を延伸させた上でエントランスパネルを固定できるので、エントランスパネルの位置決め作業を施工現場で容易に行える利点が得られる。
【００２１】
さらにまた、本発明の第１１の形態に係るパネルユニットによれば、建物の壁面に固定されるパネルユニットであって、建物の壁面に固定される縦枠と、前記縦枠の長さ方向に沿って互いに平行に離間して突出するよう固定された複数の横桟と、前記横桟に固定されるパネルとを備え、前記複数の横桟は、互いに略平行な姿勢に前記縦枠に固定されており、各横桟は、長手方向の一端側に、前記縦枠に固定する縦枠固定部と、長手方向の他端側に、前記パネルの一端を連結するパネル連結部と、長手方向の中間に、背面に固定するための壁面固定部とを設けており、前記縦枠は、前記パネルの他端を固定するためのパネル固定部を備えることができる。上記構成により、縦枠を利用して複数の横桟を延伸させた上でパネルを固定できるので、パネルの位置決め作業を施工現場で容易に行える利点が得られる。
【図面の簡単な説明】
【００２２】
【図１】本発明の一実施形態に係る建物用ドアユニットを示す正面図である。
【図２】図１のエントランスパネルの正面図である。
【図３】図１の建物用ドアユニットのＩＩＩ−ＩＩＩ線における断面図である。
【図４】図３の要部拡大断面図である。
【図５】図１の建物用ドアユニットのＶ−Ｖ線における断面図である。
【図６】図１の建物用ドアユニットからエントランスパネルを外した状態を示す正面図である。
【図７】図１の建物用ドアユニットを展開した状態を示す斜視図である。
【図８】パネル固定部の一例を示す分解斜視図である。
【図９】図８の水平断面図である。
【図１０】図７の横桟を縦枠に固定する部分を示す拡大図である。
【図１１】図１０の横桟とエントランスパネルの連結部分を示す拡大図である。
【図１２】従来の玄関備品の取付装置を示す正面図である。
【図１３】図１２のＸＩＩＩ−ＸＩＩＩ線に沿った断面図である。
【図１４】図１２の分解斜視図である。
【図１５】実施形態２に係るパネルユニットを示す水平断面図である。
【図１６】図１５のパネルを展開した状態を示す水平断面図である。
【発明を実施するための形態】
【００２３】
以下、本発明に係る実施形態及び実施例を、図面に基づいて説明する。ただし、以下に示す実施形態及び実施例は、本発明の技術思想を具体化するための例示であって、本発明は以下のものに限定されるものでない。また各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明に係る実施形態及び実施例を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
［実施形態１］
【００２４】
本発明の実施形態１に係る建物用ドアユニットを図１〜図１１に示す。これらの図において、図１は本発明の一実施形態に係る建物用ドアユニット１００を示す正面図、図２は図１のエントランスパネル１０の正面図、図３は図１の建物用ドアユニット１００のＩＩＩ−ＩＩＩ線における断面図、図４は図３の要部拡大断面図、図５は図１の建物用ドアユニット１００のＶ−Ｖ線における断面図、図６は図１の建物用ドアユニット１００からエントランスパネル１０を外した状態を示す正面図、図７は図１の建物用ドアユニット１００を展開した状態を示す斜視図、図８はパネル固定部の一例を示す分解斜視図、図９は図８の水平断面図、図１０は図７の横桟３０を縦枠２０に固定する部分を示す拡大図、図１１は図１０の横桟３０とエントランスパネル１０の連結部分を示す拡大図を、それぞれ示している。
【００２５】
建物用ドアユニット１００は、図１に示すように、ドア本体１と、ドア枠２と、エントランスパネル１０を備える。ドア枠２は、ドア本体１の周囲を囲むように、矩形状に形成される。ドア枠２は矩形状としている。ドア枠２の内側の出入口２にはドア本体１が配置される。ドア本体１は、一方の側部が蝶番２５によってドア枠２に支持されており、ドア枠２の出入口を開閉自在としている。ここではドア枠２の内、ドアの上下に面する部分をそれぞれ上枠２３と下枠２４と呼び、ドアの左右に面する部分を縦枠２０と呼ぶ。また左右の縦枠２０の内、ドアのストライク側に位置する縦枠をストライク側縦枠２１、ドアの蝶板側に位置する縦枠を蝶板側縦枠２２と呼ぶ。この建物用ドアユニット１００は、ドア本体１の側方に位置する壁面にエントランスパネル１０を固定している。エントランスパネル１０は縦枠２０と一体化された印象を与えることができ、体裁の良好な取付け状態を得ることができる。
【００２６】
エントランスパネル１０は、図２〜図７に示すように、エントランスパネル１０の裏側に位置する複数の横桟３０と、ストライク側縦枠２１に固定されている。ここで、エントランスパネル１０と、複数の横桟３０と、ストライク側縦枠２１をパネルユニットと呼ぶ。これらストライク側縦枠２１と横桟３０を用いて、エントランスパネル１０が固定される。なお図３〜図５において、右側を屋外、左側を屋内としている。
（エントランスパネル１０）
【００２７】
エントランスパネル１０は、図１及び図２の正面図に示すように、縦長の矩形状に形成されて、ドア本体１の側面に配置される。エントランスパネル１０の上下端には、それぞれ図７の斜視図に示すように、袖壁４に向けて折れ曲がる上折曲片１３及び下折曲片１４が設けられている。また、エントランスパネル１０には、図２に示すように、透光性を有する照明カバー、室番札、名札、インターホン、新聞受け等を適宜設けることができる。また照明カバー内に設けられたソケットに照明灯を支持してもよい。
【００２８】
さらにエントランスパネル１０は、図３〜図４、図８〜図９に示すように、両側の側面を折曲させてパネル折曲部１１、１２を形成している。パネル折曲部１１、１２の内、縦枠２０と面する側のパネル折曲部１１の端面を、縦枠２０の正面の中間と当接させている。これにより、縦枠２０の中間に段差を形成している。このように、エントランスパネル１０と縦枠２０を階段状に形成することで、ドア本体１のストライク側を案内し易くなる。図４の例では、ドア本体１の表面板を、この段差部に案内することができる。
（パネル固定部）
【００２９】
縦枠２０は、エントランスパネル１０の他端を固定するためのパネル固定部を備えている。これにより、縦枠２０を利用して複数の横桟３０を延伸させた上でエントランスパネル１０を固定できるので、エントランスパネル１０の位置決め作業を施工現場で容易に行える利点が得られる。
（縦枠側面側開口２６）
【００３０】
パネル固定部として、図７〜図９に示すストライク側縦枠２１は、その側面側に縦枠側面側開口２６を開口している。縦枠側面側開口２６は、このストライク側縦枠２１にエントランスパネル１０を固定するための部材である。このように縦枠側面側開口２６を建物用ドアユニット１００の正面側でなく側面側に開口させることで、正面からの見栄えを良くして意匠性を高めることができる。このようなストライク側縦枠２１と横桟３０に、エントランスパネル１０が固定される。またストライク側縦枠２１は、ストライク用開口２８を形成している。
（横桟３０）
【００３１】
複数の横桟３０は、ストライク側縦枠２１の長さ方向に沿って離間して固定される。各横桟３０は、ストライク側縦枠２１から、ドア本体１と反対側に向かって突出するように延長されている。また複数の横桟３０は、互いに略平行な姿勢で、ストライク側縦枠２１に固定されている。
【００３２】
図７の例では、縦枠２０の長さ方向に沿って３つの横桟３０が固定されている。ここでは、上端側の上横桟３１と、下端側の下横桟３３と、これらの中間の中横桟３２を備えている。このように３箇所でエントランスパネル１０を保持することで、固定の強度を高めて信頼性を向上できる。
（縦枠固定部３４）
【００３３】
各横桟３０は、図１０に示すように、縦枠固定部３４と、壁面固定部３５と、パネル連結部３６を備える。縦枠固定部３４は、横桟３０の長手方向の一端側で、ストライク側縦枠２１に固定する。図７や図１０に示す例では、縦枠固定部３４として横桟３０の右端にねじ穴を開口し、縦桟に設けたねじ穴と芯合させて螺合により固定している。
（壁面固定部３５）
【００３４】
壁面固定部３５は、横桟３０の長手方向の中間で、横桟３０を壁面に固定する。壁面固定部３５は、好適には壁面固定用ねじ穴である。例えば図４に示すように、壁面固定用ねじ穴にアンカーボルト５０を通して、袖壁４の壁面に固定する。また袖壁４には、アンカーボルト５０の固定に先立ち、壁面固定用ねじ穴と対応する位置に、予め穿孔しておくことが好ましい。
【００３５】
また壁面固定部３５は、横桟３０の長手方向の中間の内、縦枠固定部３４よりもパネル連結部３６側に近接する位置に配置することが好ましい。これにより、壁面固定部３５を、負荷のかかるエントランスパネル１０を固定するパネル連結部３６側に偏在させることで、より安定的にエントランスパネル１０を保持可能な構造を実現する。
【００３６】
さらに、横桟３０を壁面に固定する際には、図４の断面図に示すように、横桟３０と壁面との間を離間させることが好ましい。一般にストライク側縦枠２１は、袖壁４の壁面よりも高く突出されているため、このストライク側縦枠２１の正面に固定した横桟３０を、袖壁４とほぼ平行姿勢となるように離間させることで、横桟３０の上面に固定されるエントランスパネル１０の正面をドア枠２やドア本体１と平行姿勢に維持できる。
（高さ調整機構３７）
【００３７】
横桟３０と袖壁４の壁面との間の距離ｄ１を調整するため、高さ調整機構３７を付加してもよい。高さ調整機構３７は、横桟３０の壁面固定部３５の近傍に形成される。高さ調整機構３７としては、高さ調整ねじが利用できる。図１０の例では、壁面固定部３５である壁面固定用ねじ穴に隣接して、高さ調整用ねじ穴が開口される。高さ調整用ねじ穴に螺合される高さ調整ねじは、ねじ頭とねじ部の間に、ねじ山を有しない胴部を形成しており、胴部の太さを高さ調整用ねじ穴より大きくしている。またねじ部の長さを、横桟３０と壁面との間隔に横桟３０の厚さを加えた長さとしている。これによって、高さ調整ねじを横桟３０の高さ調整用ねじ穴に螺合することで、図４に示すように、ねじ部の先端が壁面に当接して、横桟３０と袖壁４との距離を所定の間隔に保持することができる。
【００３８】
このように横桟３０に、壁面固定部３５や縦枠固定部３４として、それぞれねじ穴を形成すると共に、これらを螺合して横桟３０を壁面に固定した後、エントランスパネル１０を横桟３０に固定して、壁面固定部３５や縦枠固定部３４をエントランスパネル１０で覆って隠すことができる。この結果、エントランスパネル１０を直接壁面に固定する構成と比べ、ねじ穴がエントランスパネル１０の正面側に表出する事態を避けることができる。またエントランスパネル１０のねじ穴をネームプレート等で隠す構成と比べ、ネームプレートのような部材を不要とでき、またネームプレートが意図しないで外れた際でも、ねじ穴の表出を避け、外観意匠の改善が図られる。
【００３９】
また、図４の断面図に示すように、横桟３０を壁面から距離ｄ１離して固定した結果、横桟３０に固定されたエントランスパネル１０も、距離ｄ２離間して固定される。この例では、エントランスパネル１０の側面を折曲させてパネル折曲部１２を形成しており、パネル折曲部１２の端面と壁面との間に距離ｄ２が離間されるように設計される。このようにパネル折曲部１２と袖壁４との間に意図的に隙間を設けたことで、製造公差や現場での施工時の誤差を吸収して、エントランスパネル１０の表面を袖壁４と平行な姿勢で固定することができる。
（パネル連結部３６）
【００４０】
パネル連結部３６は、横桟３０の長手方向の他端側で、エントランスパネル１０の一端を連結する。パネル連結部３６は、エントランスパネル１０の一端を、横桟３０の長手方向の他端側において軸支するよう構成している。これにより、エントランスパネル１０の他端側は縦枠固定部３４で固定しつつ、一端側の固定作業を簡素化できる。
（パネル回転軸１５）
【００４１】
図１１の例では、エントランスパネル１０が、その裏面側であってドア本体１と面する側の反対側において、パネル回転軸１５を鉛直下方に突出させている。
（桟折曲片３８）
【００４２】
またパネル連結部３６は、横桟３０の他端側において、水平姿勢に折曲された桟折曲片３８を有している。さらに桟折曲片３８は、回転軸穴３９を開口している。回転軸穴３９にパネル回転軸１５を挿入して、これを回転自在に支承することができる。これにより、エントランスパネル１０を一端側で旋回自在に支承しつつ、他端側をパネル固定部で固定することができ、エントランスパネル１０の固定作業をスムーズに行える。
【００４３】
図８に示す例では、エントランスパネル１０は、ストライク側縦枠２１の正面側と当接する位置にパネル側突起１７を設けている。またパネル側突起１７には、突起側ねじ穴１８を開口している。
【００４４】
さらに図９の断面図に示すように、縦枠２１の内部には、Ｌ字アングル部材１９を設けている。Ｌ字アングル部材１９には、パネル側突起１７を縦枠正面側開口２７に挿入した状態で、突起側ねじ穴１８と同一直線上となるようにねじ穴１９ｂを開口している。またＬ字アングル部材１９は、図５、図８、図９に示すように、縦枠側面側開口２６の部位と、ストライク用開口２８の部位とで、形状を異ならせている。図９に示すＬ字アングル部材１９は、パネル側突起１７の手前側に設けている。この結果、ねじ４０は、縦枠側面側開口２６、ねじ穴１９ｂ、突起側ねじ穴１８の順に挿入される。一方、図５の断面図に示すように、ストライク用開口２８の部位においては、ストライクを配置するため、干渉を避けるためＬ字アングル部材１９’をパネル側突起１７の背面側に配置している。この結果、ねじ４０は、ストライク用開口２８、突起側ねじ穴１８、ねじ穴１９ｂ’の順に挿入される。
【００４５】
一方ストライク側縦枠２１は、正面側のパネル側突起１７と当接する部位に、縦枠正面側開口２７を開口している。パネル側突起１７を縦枠正面側開口２７に挿入した状態で、縦枠側面側開口２６に突起側ねじ穴１８を表出させる。これにより、ストライク側縦枠２１の側面側から、縦枠側面側開口２６から突起側ねじ穴１８をねじ４０で螺合することが可能となり、エントランスパネル１０を固定するための開口部を目立たない位置に設けて施工後の見栄えを改善できる。
【００４６】
なお、以上の例ではドア枠２の内、ストライク側縦枠２１にエントランスパネル１０を固定する例を示したが、この構成に限らず、ドア枠の内、蝶板側縦枠にエントランスパネルを固定してもよい。さらに、ドア枠はドア本体の四方を完全に囲む形態のみならず、例えば下枠のない、三方のみを囲むドア枠や、いずれか一方の縦枠のみのドア枠に対しても本願発明を適用できる。
［実施形態２］
【００４７】
加えて、本発明はドアやドア枠のないパネルユニットのみで構成することもできる。この場合のパネルユニットは、建物の壁面に固定される。このような例を実施形態２に係るパネルユニット２００として、図１５及び図１６に示す。これらの図において図１５はパネルユニット２００の水平断面図、図１６は図１５のパネル１０Ｂを展開した状態の水平断面図を、それぞれ示している。なお、上述した実施形態１と同じ部材については、同じ符号にＢを付して詳細説明を省略する。これらの図に示すパネルユニット２００は、建物の壁面に固定される縦枠２０Ｂと、縦枠２０Ｂの長さ方向に沿って互いに平行に離間して突出するよう固定された複数の横桟３０Ｂと、横桟３０Ｂに固定されるパネル１０Ｂとを備える。縦枠２０Ｂは、パネル１０Ｂの固定用に設けられ、パネル１０Ｂの側面の一方（図１５等においては右側）のみに設けられる。縦枠２０Ｂは、アンカーボルト５０Ｂ等を利用して壁面に固定される。また、横桟３０Ｂと壁面との間の距離を調整するための高さ調整機構３７ｂも、図４等と同様に設けている。複数の横桟３０Ｂは、図６等と同様、互いに略平行な姿勢で縦枠２０Ｂに固定されている。各横桟３０Ｂは、長手方向の一端側に、縦枠２０Ｂに固定する縦枠固定部３４Ｂと、長手方向の他端側に、パネル１０Ｂの一端を連結するパネル連結部３６Ｂと、長手方向の中間に、背面に固定するための壁面固定部３５Ｂを設けている。一方、縦枠２０Ｂは、パネル１０Ｂの他端を固定するためのパネル固定部を備える。このような構成により、縦枠２０Ｂを利用して複数の横桟３０Ｂを延伸させた上でパネル１０Ｂを固定できるので、パネル１０Ｂの位置決め作業を施工現場で容易に行える利点が得られる。
【産業上の利用可能性】
【００４８】
本発明に係る建物用ドアユニット及びパネルユニットは、マンションなどのドアの脇に設けられる、インターホン、室名札、照明灯、新聞受け等を設けたエントランスパネルや袖パネル等に好適に利用できる。また本発明に係る建物用ドアユニット及びパネルユニットは、玄関枠に設置する構成に限らず、四方を囲んだ枠のない壁面においても、一方の縦枠を利用して設置することができる。加えて、本発明はドアのないパネルユニット単独としても用いることができる。
【符号の説明】
【００４９】
１００…建物用ドアユニット；２００…パネルユニット
１…ドア本体
２…ドア枠
４…袖壁
１０…エントランスパネル；１０Ｂ…パネル
１１…パネル折曲部
１２…パネル折曲部
１３…上折曲片
１４…下折曲片
１５…パネル回転軸
１７…パネル側突起
１８…突起側ねじ穴
１９、１９’…Ｌ字アングル部材；１９ｂ、１９ｂ’…ねじ穴
２０、２０Ｂ…縦枠
２１…ストライク側縦枠
２２…蝶板側縦枠
２３…上枠
２４…下枠
２５…蝶番
２６…縦枠側面側開口
２７…縦枠正面側開口
２８…ストライク用開口
３０、３０Ｂ…横桟
３１…上横桟
３２…中横桟
３３…下横桟
３４、３４Ｂ…縦枠固定部
３５、３５Ｂ…壁面固定部
３６、３６Ｂ…パネル連結部
３７、３７ｂ…高さ調整機構
３８…桟折曲片
３９…回転軸穴
４０…ねじ
５０、５０Ｂ…アンカーボルト
８１…抜孔
８２…プレート
８３…永久磁石
９２…ドア枠
９３…突出部
９４…エントランスパネル
９５…係合片
９６…袖壁
９７…ねじ挿入孔
９８…アンカ
９９…ねじ
【図１】
2019190131.tif 000003
【図２】
2019190131.tif 000004
【図３】
2019190131.tif 000005
【図４】
2019190131.tif 000006
【図５】
2019190131.tif 000007
【図６】
2019190131.tif 000008
【図７】
2019190131.tif 000009
【図８】
2019190131.tif 000010
【図９】
2019190131.tif 000011
【図１０】
2019190131.tif 000012
【図１１】
2019190131.tif 000013
【図１２】
2019190131.tif 000014
【図１３】
2019190131.tif 000015
【図１４】
2019190131.tif 000016
【図１５】
2019190131.tif 000017
【図１６】
2019190131.tif 000018